【手続補正書】
【提出日】平成23年9月15日(2011.9.15)
【手続補正１】
【補正対象書類名】特許請求の範囲
【補正対象項目名】全文
【補正方法】変更
【補正の内容】
【特許請求の範囲】
【請求項１】
長手方向を水平方向とした状態で画像形成装置本体に対して着脱自在に設置されるトナー容器であって、
トナーを排出するためのトナー排出口を底部に具備し、
容器の外周に沿った移動により前記トナー排出口を開閉するシャッタ部材を備え、
前記シャッタ部材が前記トナー排出口を開閉するように前記シャッタ部材を案内して前記長手方向に移動させるためのシャッタレールが、前記トナー排出口が形成された底部の両側端から上方に向かってそれぞれ起立する２つの面部を含むように形成され、
前記２つの面部は、それぞれ、前記トナー排出口を閉鎖した位置にある前記シャッタ部材の閉鎖方向の端部から前記長手方向に突出する位置まで連続的に形成されたことを特徴とするトナー容器。
【請求項２】
容器の上部に配設されるとともに、前記長手方向に直交する容器の端面から前記長手方向に延設されて前記画像形成装置本体における容器の位置決め主基準となる第１の穴部と、
容器の下部に配設されるとともに、前記トナー排出口の位置に達しないように前記長手方向に直交する容器の端面から前記長手方向に延設されて前記画像形成装置本体における容器の位置決め従基準となる第２の穴部と、
を具備し、
前記２つの面部は、前記第２の穴部を挟むように配設されたことを特徴とする請求項１に記載のトナー容器。
【請求項３】
前記長手方向に直交する端面から前記長手方向に突起するとともに、前記第２の穴部の下端近傍であって前記第２の穴部を挟むように配設された２つの突起部を具備し、
前記２つの面部は、前記２つの突起部における側端面をそれぞれ含むことを特徴とする請求項２に記載のトナー容器。
【請求項４】
前記２つの突起部の前記長手方向の先端部は、前記第１の穴部の端面から前記長手方向に突出した位置にあることを特徴とする請求項３に記載のトナー容器。
【請求項５】
長手方向を水平方向とした状態で画像形成装置本体に対して着脱自在に設置されるトナー容器であって、
トナーを排出するためのトナー排出口と、
容器の外周に沿った移動により前記トナー排出口を開閉するシャッタ部材と、
前記シャッタ部材が前記トナー排出口を開閉するように前記シャッタ部材を案内して前記長手方向に移動させるためのシャッタレールと、
前記トナー排出口を閉鎖した位置にある前記シャッタ部材の閉鎖方向の端部から前記長手方向に突出する突起部と、
を備え、
前記シャッタレールは、前記トナー排出口が形成された底部の両側端から上方に向かってそれぞれ起立する２つの面部を具備し、
前記突起部は、前記シャッタレールの前記面部と同一平面上にある面を具備したことを特徴とするトナー容器。
【請求項６】
容器の上部に配設されるとともに、前記長手方向に直交する容器の端面から前記長手方向に延設されて前記画像形成装置本体における容器の位置決め主基準となる第１の穴部と、
容器の下部に配設されるとともに、前記トナー排出口の位置に達しないように前記長手方向に直交する容器の端面から前記長手方向に延設されて前記画像形成装置本体における容器の位置決め従基準となる第２の穴部と、
を具備し、
前記シャッタレールの前記面部と同一平面上にある面は、前記第２の穴部の下端近傍であって前記第２の穴部を挟むように配設されたことを特徴とする請求項５に記載のトナー容器。
【請求項７】
前記突起部は、前記底部の両端部からそれぞれ突出するように２つ設けられ、前記第２の穴部の下端近傍において前記第２の穴部を挟むように配設されたことを特徴とする請求項６に記載のトナー容器。
【請求項８】
前記突起部の前記長手方向の先端部は、前記第１の穴部の端面から前記長手方向に突出した位置にあることを特徴とする請求項６又は請求項７に記載のトナー容器。
【請求項９】
前記長手方向の一端側に開口部が形成されるとともに、内部に収容したトナーが前記開口部に向けて搬送されるように構成された筒状の容器本体と、
前記容器本体の前記開口部が内挿されるとともに、前記容器本体の前記開口部から排出されたトナーを容器外であって鉛直方向下方に排出するための前記トナー排出口を底部に具備したキャップ部と、
を備えたことを特徴とする請求項１〜請求項８のいずれかに記載のトナー容器。
【請求項１０】
前記キャップ部は、
その内部に前記長手方向に延在するように形成された円柱状の空洞と、
前記空洞の下方の周面から前記トナー排出口に向けて一定の流路面積にて柱状に形成されたトナー落下経路と、
を具備したことを特徴とする請求項９に記載のトナー容器。
【請求項１１】
前記容器本体は、その内周面に螺旋状の突起を有するとともに、前記キャップ部に対して回転可能に保持されることを特徴とする請求項９又は請求項１０に記載のトナー容器。
【請求項１２】
請求項１〜請求項１１のいずれかに記載のトナー容器が前記画像形成装置本体に設置されたことを特徴とする画像形成装置。
【手続補正２】
【補正対象書類名】明細書
【補正対象項目名】０００５
【補正方法】変更
【補正の内容】
【０００５】
この発明の請求項１記載の発明にかかるトナー容器は、長手方向を水平方向とした状態で画像形成装置本体に対して着脱自在に設置されるトナー容器であって、トナーを排出するためのトナー排出口を底部に具備し、容器の外周に沿った移動により前記トナー排出口を開閉するシャッタ部材を備え、前記シャッタ部材が前記トナー排出口を開閉するように前記シャッタ部材を案内して前記長手方向に移動させるためのシャッタレールが、前記トナー排出口が形成された底部の両側端から上方に向かってそれぞれ起立する２つの面部を含むように形成され、前記２つの面部は、それぞれ、前記トナー排出口を閉鎖した位置にある前記シャッタ部材の閉鎖方向の端部から前記長手方向に突出する位置まで連続的に形成されたものである。
【手続補正３】
【補正対象書類名】明細書
【補正対象項目名】０００６
【補正方法】変更
【補正の内容】
【０００６】
また、請求項２記載の発明にかかるトナー容器は、前記請求項１に記載の発明において、容器の上部に配設されるとともに、前記長手方向に直交する容器の端面から前記長手方向に延設されて前記画像形成装置本体における容器の位置決め主基準となる第１の穴部と、容器の下部に配設されるとともに、前記トナー排出口の位置に達しないように前記長手方向に直交する容器の端面から前記長手方向に延設されて前記画像形成装置本体における容器の位置決め従基準となる第２の穴部と、を具備し、前記２つの面部は、前記第２の穴部を挟むように配設されたものである。
【手続補正４】
【補正対象書類名】明細書
【補正対象項目名】０００７
【補正方法】変更
【補正の内容】
【０００７】
また、請求項３記載の発明にかかるトナー容器は、前記請求項２に記載の発明において、前記長手方向に直交する端面から前記長手方向に突起するとともに、前記第２の穴部の下端近傍であって前記第２の穴部を挟むように配設された２つの突起部を具備し、前記２つの面部は、前記２つの突起部における側端面をそれぞれ含むものである。
【手続補正５】
【補正対象書類名】明細書
【補正対象項目名】０００８
【補正方法】変更
【補正の内容】
【０００８】
また、請求項４記載の発明にかかるトナー容器は、前記請求項３に記載の発明において、前記２つの突起部の前記長手方向の先端部は、前記第１の穴部の端面から前記長手方向に突出した位置にあるものである。
【手続補正６】
【補正対象書類名】明細書
【補正対象項目名】０００９
【補正方法】変更
【補正の内容】
【０００９】
また、請求項５記載の発明にかかるトナー容器は、長手方向を水平方向とした状態で画像形成装置本体に対して着脱自在に設置されるトナー容器であって、トナーを排出するためのトナー排出口と、容器の外周に沿った移動により前記トナー排出口を開閉するシャッタ部材と、前記シャッタ部材が前記トナー排出口を開閉するように前記シャッタ部材を案内して前記長手方向に移動させるためのシャッタレールと、前記トナー排出口を閉鎖した位置にある前記シャッタ部材の閉鎖方向の端部から前記長手方向に突出する突起部と、を備え、前記シャッタレールは、前記トナー排出口が形成された底部の両側端から上方に向かってそれぞれ起立する２つの面部を具備し、前記突起部は、前記シャッタレールの前記面部と同一平面上にある面を具備したものである。
【手続補正７】
【補正対象書類名】明細書
【補正対象項目名】００１０
【補正方法】変更
【補正の内容】
【００１０】
また、請求項６記載の発明にかかるトナー容器は、前記請求項５に記載の発明において、容器の上部に配設されるとともに、前記長手方向に直交する容器の端面から前記長手方向に延設されて前記画像形成装置本体における容器の位置決め主基準となる第１の穴部と、容器の下部に配設されるとともに、前記トナー排出口の位置に達しないように前記長手方向に直交する容器の端面から前記長手方向に延設されて前記画像形成装置本体における容器の位置決め従基準となる第２の穴部と、を具備し、前記シャッタレールの前記面部と同一平面上にある面は、前記第２の穴部の下端近傍であって前記第２の穴部を挟むように配設されたものである。
また、請求項７記載の発明にかかるトナー容器は、前記請求項６に記載の発明において、前記突起部は、前記底部の両端部からそれぞれ突出するように２つ設けられ、前記第２の穴部の下端近傍において前記第２の穴部を挟むように配設されたものである。
また、請求項８記載の発明にかかるトナー容器は、前記請求項６又は請求項７に記載の発明において、前記突起部の前記長手方向の先端部は、前記第１の穴部の端面から前記長手方向に突出した位置にあるものである。
また、請求項９記載の発明にかかるトナー容器は、前記請求項１〜請求項８のいずれかに記載の発明において、前記長手方向の一端側に開口部が形成されるとともに、内部に収容したトナーが前記開口部に向けて搬送されるように構成された筒状の容器本体と、前記容器本体の前記開口部が内挿されるとともに、前記容器本体の前記開口部から排出されたトナーを容器外であって鉛直方向下方に排出するための前記トナー排出口を底部に具備したキャップ部と、を備えたものである。
また、請求項１０記載の発明にかかるトナー容器は、前記請求項９に記載の発明において、前記キャップ部は、その内部に前記長手方向に延在するように形成された円柱状の空洞と、前記空洞の下方の周面から前記トナー排出口に向けて一定の流路面積にて柱状に形成されたトナー落下経路と、を具備したものである。
また、請求項１１記載の発明にかかるトナー容器は、前記請求項９又は請求項１０に記載の発明において、前記容器本体は、その内周面に螺旋状の突起を有するとともに、前記キャップ部に対して回転可能に保持されるものである。
また、請求項１２記載の発明にかかる画像形成装置は、請求項１〜請求項１１のいずれかに記載のトナー容器が前記画像形成装置本体に設置されたものである。